(57)【要約】【課題】内装材へのフェルトの取付け作業の低工数化を図ると共に、取付け後のフェルトが、ドアートリム製品の搬送中などでは容易に脱落しないようにする反面、廃車時のリサイクルを容易にできるようになした。【解決手段】フェルト４に形成した取付け貫通孔５と、ロアートリム３の裏面に突出して取付け貫通孔５に貫通係合するように起立形成された被係合片６と、アッパートリム２の下端側にフェルト４に対向延在するように形成された係合片８と、係合片８が係合するように被係合片６の先端側に形成された係合凹部７と、を有して構成して、係合片８が被係合片６の係合凹部７に係合することによって、フェルト４が係合片８とロアートリム３との間で挟まるように構成した。【選択図】図３
2010143479.tif 000002
【特許請求の範囲】
【請求項１】
少なくとも上下二分割構成にしたアッパートリム及びロアートリムで構成し、該アッパートリムの下端部と前記ロアートリムの上端部同士を接合することによって一体構成した内装材において、前記ロアートリムの裏面側にフェルトを取付けるべくなした自動車用内装材へのフェルト取付け構造であって、
前記フェルトに形成した複数個の取付け貫通孔と、前記ロアートリムの裏面に起立して前記取付け貫通孔にそれぞれ貫通係合するように形成された複数個の被係合片と、前記アッパートリムの下端部に前記フェルトに対向延在するように形成された複数の係合片と、該係合片が係合するように前記各被係合片の先端側に形成された係合凹部と、を有して構成しており、
前記係合片が前記被係合片の係合凹部に係合することによって、前記フェルトが前記係合片と前記ロアートリムとの間で挟むように構成したことを特徴とする自動車用内装材へのフェルト取付け構造。
【請求項２】
少なくとも上下二分割構成にしたアッパートリム及びロアートリムで構成し、該アッパートリムの下端部と前記ロアートリムの上端部同士を接合することによって一体構成した内装材において、前記ロアートリムの裏面側にフェルトを取付けるべくなした自動車用内装材へのフェルト取付け構造であって、
前記フェルトに形成した複数個の取付け貫通孔と、該各取付け貫通孔にそれぞれ対応して前記フェルトに対向延在するように前記アッパートリム側に形成された複数の係合片と、該各係合片の中途部に前記フェルト側に突出して弾性変形可能に折曲形成された突状係合部と、を有して構成しており、
前記突状係合部を前記取付け貫通孔内に係合して前記突状係合部の先端部を前記ロアートリムに付勢当接させることにより、前記フェルトが前記係合片と前記ロアートリムとの間で挟むように構成したことを特徴とする自動車用内装材へのフェルト取付け構造。
【発明の詳細な説明】
【技術分野】
【０００１】
本発明は、内装材の裏面にフェルトを取付けるための内装材へのフェルト取付け構造に関する。
【背景技術】
【０００２】
従来から、自動車用内装材例えば自動車のドアーを美装するドアートリムの裏面には、車外からの騒音を車室内においては遮断すべく、吸音機能を付与すべく不織布等で構成されたフェルトが取付けられている。
【０００３】
かかるドアートリムの裏面にフェルトを取付けるための技術には、フェルトを超音波溶着或いは熱溶着等により溶着することによって張着する場合や、ホットメルト等の接着剤を用いて張着する場合があった。
【０００４】
しかしながら、従来のように、溶着することによってフェルトをドアートリムに張着する場合は、手作業による溶着では溶着点数が多く溶着工数が嵩むことから、溶着治具や溶着設備を用いる溶着方法が採用されており、かかる方法は、設備費が嵩むことによるコスト高の要因となっていた。
【０００５】
また、ホットメルト等の接着剤を用いて行う方法は、接着剤自体の価格が高いことから、やはりコスト高の要因となっていた。
【０００６】
そして、上記溶着或いは接着剤を用いてフェルトを取付ける方法は、いずれも、自動車の廃車後のドアートリムのリサイクルに際して、フェルトをドアートリムから無理やり剥がす必要があることから、ドアートリム側にフェルトを構成する糸屑等が残ってしまう。
【０００７】
そして、ドアートリムをリサイクルするには、当該ドアートリムの樹脂部分を回収した後、粉砕機にかけて粉砕等を行って、再度射出成形の材料として使用するのであるが、上記のように繊維（糸屑）が残ったまま樹脂部分を射出成形の材料としてリサイクルした場合、射出成形して製作した製品の表面には、繊維やこれが射出成形熱により焼成されて炭化した部分が表出してしまい、ドアートリムの製品として利用に供し得ないものとなってしまう。
【０００８】
そこで、本願出願人は、溶着による張着方法或いは接着剤による接着方法を用いずして、ドアートリムにフェルトを取付け可能として、廃車後のフェルトを容易にドアートリムから取り外しできるように構成して、リサイクル材料として再び使用しても繊維やその炭化部分が表面に表出しないように構成した内装材へのフェルト取付け構造を提案している（特許文献１参照）。
【特許文献１】特開平２００４−６６８８６号公報
【発明の開示】
【発明が解決しようとする課題】
【０００９】
かかる提案技術の一つは、内装材であるドアートリムの裏面に板状の取付け片を複数起立形成し、取付け片の先端を上方に鉤状に折曲することによって一体の押さえ片部を形成しておくものである。かかる取付け片は、フェルト側の取付け孔に挿通させてフェルトを引っ掛けた場合に、押さえ片部によってフェルトの一部を窪ませるようにしている。この結果、フェルトは、押さえ片部とドアートリムの裏面との間で挟着されるように構成されている。
【００１０】
したがって、フェルトは、取付け片の先端に形成した押さえ片部とドアートリムの裏面との間に挟むことにより、ドアートリムに取付けることができ、上記した従来の技術のような接着剤による接着や溶着による張着を行う必要がなくなり、環境にやさしく、しかも、押さえ片部を取付け片より折り曲げる等して取り外すことにより、ドアートリムより容易に分離することができ、ドアートリムの樹脂部分をリサイクルして再び使用することができ、省エネルギーに寄与することになる。
【００１１】
しかしながら、フェルトは、基本的には、取付け孔に取付け片を挿通させて押さえ片部に引っ掛けることによって、ドアートリムに取付けるものであるので、フェルト側の取付け孔に鉤状に折曲された押さえ片部を挿通させる作業が比較的面倒であることは否めず、もし押さえ片による挟み力が小さくなってしまうような場合等には、ドアートリム製品の搬送中などにおいて、脱落してしまうおそれも無きにしも非ずである。
【００１２】
そこで、特許文献１においては、フェルトの脱落防止機能を確実にすることを意図して、もう一つの技術が提案されている。
【００１３】
これによれば、ドアートリムの裏面にフェルトを取付ける場合、ドアートリムの裏面に取付けボスが起立形成されている。ただ、当該取付けボスは先ずストレート状に成形されている。そして、取付けボスは、フェルト側の取付け孔に挿通させた後にその先端部をフェルトの一面側から突出させ、突出させた取付けボスの先端部は、超音波溶着や熱溶着等により加締められて、略傘状の押さえ片部に形成されている。当該押さえ片部は、フェルトの一部を窪ませた状態で、フェルトをドアートリムとの間で挟むようになる。
【００１４】
かかる構成においては、フェルトは、その取付け孔にストレート状の取付けボスを挿通した後、取付けボスの先端部を傘状に加締めることによって形成された押さえ片部で押さえられ、ドアートリムに取付けられることになる。
【００１５】
この結果、フェルトは、押さえ片部の存在によってドアートリム製品の搬送中において容易に脱落するのを防止でき、押さえ片部よりフェルトを引き剥がすことによりドアートリム製品の搬送中ドアートリムから取り外して、ドアートリムの樹脂部分をリサイクルすることになる。
【００１６】
しかし、フェルトをドアートリム側に押さえ付ける押さえ片部は、フェルト側の取付け孔に挿通した取付けボスの先端部を加締めることによって形成されるものであることから、フェルト取付け時に、改めて熱溶着や高周波溶着等の加締め作業が必要となって、フェルトの取付け工数を増大させる要因となってしまい、併せて、熱による加工のため溶融した樹脂がフェルトを構成する繊維に入り込んでしまうことになって、押さえ片部を切断したとしてもフェルトを取外した際糸屑を完全に取り除くことを困難にしている。
【００１７】
そこで、本発明は、内装材へのフェルトの取付け作業の低工数化を図ると共に、取付け後のフェルトが、ドアートリム製品の搬送中などでは容易に脱落しないようにする反面、廃車時のリサイクルを容易にできるようになした自動車用内装材へのフェルト取付け構造を提供することを目的としている。
【課題を解決するための手段】
【００１８】
本発明に係る自動車用内装材へのフェルト取付け構造は、第１に、少なくとも上下二分割構成にしたアッパートリム及びロアートリムで構成し、該アッパートリムの下端部と前記ロアートリムの上端部同士を接合することによって一体構成した内装材において、前記ロアートリムの裏面側にフェルトを取付けるべくなした自動車用内装材へのフェルト取付け構造であって、前記フェルトに形成した複数個の取付け貫通孔と、前記ロアートリムの裏面に起立して前記取付け貫通孔にそれぞれ貫通係合するように起立形成された複数個の被係合片と、前記アッパートリムの下端部に前記フェルトに対向延在するように形成された複数の係合片と、該係合片が係合するように前記各被係合片の先端側に形成された係合凹部と、を有して構成しており、前記係合片が前記被係合片の係合凹部に係合することによって、前記フェルトが前記係合片と前記ロアートリムとの間で挟むように構成したことを特徴とするものである。
【００１９】
かかる構成により、本発明に係るフェルトの内装材への取付けは、ロアートリム側に配設されたフェルトの取付け貫通孔に、ロアートリム側の被係合片を貫通係合し、該被係合片の先端部に形成した係合凹部にアッパートリム側の係合片を係合することにより行うもので、フェルトは、これに対向延在する係合片とロアートリムとの間で挟合された状態となる。
【００２０】
この結果、フェルトにおける内装材への取付けは、ロアートリム及びアッパートリムが互いに端部同士接合されて一体の内装材を構成していることから、ドアートリム製品の搬送中などに、係合片が不用意に被係合片の係合凹部から抜け出すことなく、この結果、フェルトがロアートリムから脱落するのを防止することができる。
【００２１】
したがって、溶着による加締め作業などを伴わなくても、フェルトは内装材側に脱落防止状態で取付けることができ、当該取付け工数が大幅に軽減されることになると共に、例えば廃車等に際して、係合片を切断等することにより係合片によるフェルトの挟合状態は解除されることになって、フェルトは内装材から容易且つ糸屑等を残すことなく完全に取り外すことができ、ドアートリムの樹脂部分のリサイクルが容易に行われることになる。
【００２２】
本発明に係る自動車用内装材へのフェルト取付け構造は、第２に、少なくとも上下二分割構成にしたアッパートリム及びロアートリムで構成し、該アッパートリムの下端部と前記ロアートリムの上端部同士を接合することによって一体構成した内装材において、前記ロアートリムの裏面側にフェルトを取付けるべくなした自動車用内装材へのフェルト取付け構造であって、前記フェルトに形成した複数個の取付け貫通孔と、該各取付け貫通孔にそれぞれ対応して前記フェルトに対向延在するように前記アッパートリム側に形成された複数の係合片と、該各係合片の中途部に前記フェルト側に突出して弾性変形可能に折曲形成された突状係合部と、を有して構成しており、前記突状係合部を前記取付け貫通孔内に係合して前記係合部の先端部を前記ロアートリムに付勢当接させることにより、前記フェルトが前記係合片と前記ロアートリムとの間で挟むように構成したことを特徴とするものである。
【００２３】
かかる構成により、本発明に係るフェルトの内装材への取付けは、ロアートリム側に配設されたフェルトの取付け貫通孔に、アッパートリム側の係合片における弾性変形可能な突状係合部を係合させ、該突状係合部の先端部をロアートリムに付勢当接することによって行うことができることから、フェルトに対向延在する係合片とロアートリムとの間でフェルトが挟着されることになる。
【００２４】
かかるフェルトにおける内装材への取付けは、ロアートリム及びアッパートリムが互いに端部同士が接合され一体の内装材を構成していることから、ドアートリム製品の搬送中などに、係合片の係合部が取付け貫通孔から不用意に抜け出すことなく、この結果、フェルトがロアートリムから脱落するのを防止することができる。
【００２５】
したがって、溶着による加締め作業などを伴わなくても、フェルトは脱落防止状態で内装材側に取付けられることができることから、当該取付け工数は大幅に軽減できると共に、例えば廃車等に際して、係合片を切断等することにより、係合片によるフェルトの挟着状態は解除することができて、フェルトは内装材から容易且つ完全に取り外すことができ、ドアートリムの樹脂部分のリサイクルを容易に行うことができる。
【発明の効果】
【００２６】
上記のように構成する本発明は、従来のような溶着による加締め作用などを伴わなくても、フェルトにおける内装材からの脱落を防止でき、フェルトの取付け工数の軽減を図ることができ、しかも、廃車時等におけるドアートリムの樹脂部分のリサイクルを容易に行うことができる。
【発明を実施するための最良の形態】
【００２７】
次に、本発明に係る実施の形態について、図を用いて説明する。なお、当該実施の形態の説明に当たって、上記従来の技術に対応する構成には同一符号を付して説明することとする。
【００２８】
図１は本発明に係る一の実施の形態を採用した自動車用内装材であるドアートリムの裏面図、図２は、図１のＡ円内を拡大して描画した分解斜視図、図３は図１のＢ−Ｂ断面図である。
【００２９】
自動車用内装材は、車体のインナパネルの車室側を美装するものであり、自動車の出入口を開閉するドアーをアウタパネルと共に構成するインナパネル（不図示）の車室側は、図１に示すような内装材であるドアートリム１により美装されている。
【００３０】
ドアートリム１は、上下二分割構成にしたアッパートリム２及びロアートリム３により構成し、アッパートリム２の下端部とロアートリム３の上端部同士を接合することにより一体に構成されている。
【００３１】
このために、アッパートリム２は、その下端部に複数個形成された接合片部２ａを有して構成しており、接合片部２ａはロアートリム３の上端部に重合して下方に延在している。且つ、各接合片部２ａは、取付け孔２ｂが形成されている。一方、ロアートリム３は、その上端部に各取付け孔２ｂにそれぞれ嵌合する複数個の取付けボス３ａを形成して構成している。
【００３２】
そして、アッパートリム２とロアートリム３とは、接合片部２ａの取付け孔２ｂに取付けボス３ａを嵌合し、且つ、取付けボス３ａの先端部を取付け孔２ｂから突出させ、当該突出部分を超音波溶着或いは熱溶着等により加締めることによって、一体構成のドアートリム１を構成している。
【００３３】
ロアートリム３の裏面は、主に車外の騒音等を車室内側に伝播しないように、不織布等から構成して吸音機能を有するフェルト４が配設されている。
【００３４】
フェルト４は、ロアートリム３の裏面に取付けるための取付け貫通孔５が複数個（本実施の形態においては２つ）形成されている。
【００３５】
取付け貫通孔５にそれぞれ対応して、ロアートリム３の裏面上端部は、自動車の前後方向に互いに離間した状態で、被係合片６が複数個例えば一対突出形成されている。各被係合片６の先端部は、その中央部を凹設することにより、係合凹部７が形成されている（図２参照）。
【００３６】
また、アッパートリム２に形成した接合片部２ａの下端部は、各被係合片６に対応してフェルト４に対向延在するように、係合片８が形成されている。係合片８は、被係合片６の係合凹部７に係合するように構成されている（図３参照）。
【００３７】
そして、係合片８は、被係合片６の係合凹部７に係合した際、その先端部がフェルト４の取付け貫通孔５内に入り込むように或いはフェルト４の取付け貫通孔５の周縁を押圧するように、先端部にロアートリム３側に折曲突出する突状係合部８ａを有して構成している。
【００３８】
係合片８の外側は、接合片部２ａから延在したフランジ部９を有していて、係合片８の剛性を高めている。
【００３９】
上記のように構成する本発明に係る一の実施の形態においては、フェルト４のロアートリム３への取付けは、ロアートリム３側に配設されたフェルト４の取付け貫通孔５に、ロアートリム３側の被係合片６を貫通係合することにより先ず行い、その後、被係合片６の先端部に形成した係合凹部７に、アッパートリム２側の係合片８が係合することにより行うものである。この時、係合片８の突状係合部８ａは、フェルト４の取付け貫通孔５内に挿入状態となっている。
【００４０】
上記したフェルト４の取付けは、アッパートリム２とロアートリム３との一連の接合作業の中で行われるものであることから、アッパートリム２側の係合片８がロアートリム３側の係合凹部７に係合した際には、フェルト４は、これに対向延在する係合片８とロアートリム３との間で挟まれた状態となっている。
【００４１】
この結果、フェルト４におけるロアートリム３への取付けは、ロアートリム３及びアッパートリム２が互いに端部同士接合されて一体のドアートリム１を構成していることから、ドアートリム製品の搬送中などに、係合片８が不用意に被係合片６の係合凹部７から抜け出すことなく、この結果、フェルト４がロアートリム３から脱落するのを防止することができる。
【００４２】
したがって、溶着による加締め作業などを伴わなくても、フェルト４はドアートリム１側に脱落防止状態で取付けることができ、当該取付け工数が大幅に軽減されることになると共に、例えば廃車等に際して、フェルト４は、係合片８を切断等することにより係合片８による当該挟合状態を解除されることになる。この結果、フェルト４は、ドアートリム１から容易且つ完全に取り外すことができ、ドアートリム１の樹脂部分のリサイクルが容易に行われることになる。
【００４３】
次に、図４及び図５を用いて、本発明に係る他の実施の形態について説明する。
【００４４】
図４及び図５によれば、上記実施の形態と同様に、ドアートリム１は、上下二分割構成したアッパートリム２及びロアートリム３により構成し、ロアートリム３側に吸音機能を有するフェルト４を配設し、フェルト４の上端部に取付け貫通孔５を形成して、構成されている点同じである。
【００４５】
これに対して、ロアートリムの上端部は、上記一の実施の形態と異なって、被係合片６が形成されていないが、アッパートリム２は、接合片部２ａの下端部にフェルト４側の取付け貫通孔５に対応して複数個たとえば一対の係合片８が形成されて構成されている。
【００４６】
係合片８は、その中途部にフェルト４側に突出する突状係合部１０が折曲形成されて構成している。突状係合部１０は、略三角山形状に形成されていて、その高さ方向（すなわち突状係合部１０がロアートリム３によって押圧される方向）の力に対して弾性変形可能に構成されて、取付け貫通孔５内に嵌合するようになっている。
【００４７】
上記のように構成する本発明に係る他の実施の形態において、フェルト４のロアートリム３への取付けは、ロアートリム３側に配設されたフェルト４の取付け貫通孔内に、アッパートリム２側の係合片８の突状係合部１０を係合することにより行うものである。
【００４８】
そして、上記したフェルト４の取付けは、上記一の実施の形態と同様に、アッパートリム２とロアートリム３との一連の接合作業の中で行われるものである。したがって、アッパートリム２側の係合片８の突状係合部１０がフェルト４側の取付け貫通孔５内に係合した際に、突状係合部１０の先端は、ロアートリム３側に付勢当接されていることになる。この結果、突状係合部１０は取付けボス３ａを支点に弾性変形していることになる。
【００４９】
かかることから、フェルト４は、係合片８とロアートリム３との間で挟まれていることになる。
【００５０】
この結果、フェルト４におけるロアートリム３への取付けは、ロアートリム３及びアッパートリム２が互いに端部同士が接合され一体のドアートリム１を構成していることから、ドアートリム製品の搬送中などに、係合片８の突状係合部１０が取付け貫通孔５から不用意に抜け出すことなく、この結果、フェルト４がロアートリム３から脱落するのを防止することができる。
【００５１】
したがって、溶着による加締め作業などを伴わなくても、フェルト４は脱落防止状態でロアートリム３側に取付けられることができることから、当該取付け工数は大幅に軽減できると共に、例えば廃車等に際して、係合片８を切断等することにより、係合片８によるフェルト４の挟着状態は解除することができて、フェルト４はロアートリム３から容易且つ完全に取り外すことができ、ドアートリム１の樹脂部分のリサイクルを容易に行うことができる。
【００５２】
なお、上記実施の形態においては、ドアートリム１は、上下二分割構成のアッパートリム２およびロアートリム３を互いに接合することによって一体に構成しているが、これに限定されるものではなく、本発明は、例えば、アッパートリム２におけるアームレストアッパーや中接部材、或いはロアートリム３を構成するポケット部等を別体構成にして、これらを接合することにより一体構成にしたタイプのものも同様に適用できるものである。
【００５３】
また、上記実施の形態においては、内装材としてドアートリム１に採用した場合を説明したが、本発明は、ドアートリムに限定されるものではなく、フェルトを取付ける他の内装材、例えば、ピラーガーニッシュ、パーセルシェルフトリム或いはリアサイドトリム等にも適用できるものである。
【産業上の利用可能性】
【００５４】
以上説明したように、本発明は、従来のような溶着による加締め作用などを伴わなくても、フェルトにおける内装材からの脱落を防止できると共に、フェルトの取付け工数の軽減を図ることができ、しかも、廃車時等におけるドアートリムの樹脂部分のリサイクルを容易に行うことができるために、内装材の裏面に吸音機能を有するフェルトを取付けるための内装材へのフェルト取付け構造等に好適である。
【図面の簡単な説明】
【００５５】
【図１】本発明に係る一の実施の形態を採用した自動車用内装材であるドアートリムの背面図である。
【図２】図１のＡ円内を拡大して描画した分解斜視図である。
【図３】図２のＢ−Ｂ断面図である。
【図４】本発明に係る他の実施の形態を採用した自動車用内装材であるドアートリムの図２と同様な部位を拡大して描画した要部斜視図である。
【図５】図４のＣ−Ｃ断面図である。
【符号の説明】
【００５６】
１    ドアートリム（内装材）
２    アッパートリム
３    ロアートリム
４    フェルト
５    取付け貫通孔
６    被係合片
７    係合凹部
８    係合片
１０  突状係合部
【図１】
2010143479.tif 000003
【図２】
2010143479.tif 000004
【図３】
2010143479.tif 000005
【図４】
2010143479.tif 000006
【図５】
2010143479.tif 000007